Podtech/llm-jp-corpus-v4-ja_patent huggingface dataset:
(57)【要約】【課題】管２と管３の間を継手４で接続するようにした配管構造において、管の伸縮を効果的に吸収し、管の破損を防止する。【解決手段】管２と管３の間を接続する継手４に新規の伸縮対応型継手を採用する。この伸縮対応型継手４は、下流側の管３とは隙間なく接合され、上流側の管２との間では隙間５を有する非接合状態で組み付けられ、この隙間５による可動部分で管の伸縮を吸収する。【選択図】  図２
2004218777.tif 000002
【特許請求の範囲】
【請求項１】
管と管の間を継手管で接続するようにした配管構造において、
上記継手管は、下流側の管とは隙間なく接合され、上流側の管との間では隙間を有し、非接合状態で組み付けられるようにしたことを特徴とする配管構造。
【請求項２】
上記継手管の内周面に、上記上流側の管との間の隙間を保持するための突起を複数箇所に設けたことを特徴とする請求項１に記載の配管構造。
【発明の詳細な説明】
【０００１】
【発明の属する技術分野】
本発明は配管構造に関し、特に管と管の間を接続する継手管の部分の構造に係るものである。
【０００２】
【従来の技術】
先ず、図１（Ａ）を参照して従来の配管構造について説明する。
これは例えば建物の外壁１に沿って垂直に水流の配管を施した場合で、ここで管２，３は夫々保持部材２ａ，３ａによって外壁１に固定保持され、管２と管３の間はソケット型の継手管（以下継手という）４によって接続されるようになっている。尚、この配管に用いられる管２，３及び継手４は何れも塩化ビニル等の樹脂材で成形されている。
【０００３】
継手４は管２，３よりも一回り大きい径を有し、この継手４に上下両側から管２と管３を挿入嵌合するようにして接続するものである。この場合、従来の配管構造では継手４は管２と管３の何れとも隙間なく嵌合され、さらに接着剤によって接合されるのが一般的であった。
【０００４】
【発明が解決しようとする課題】
ところで、上記のような配管では、気温の変化等によって管に伸縮が生じる（特に管の材料に用いられる塩化ビニルには伸縮が生じやすい）。
このように管に伸縮が生じた場合、従来の配管構造では管の伸縮を吸収する部分がないので、やがては管や継手に破損が生じ、水漏れ等を引き起こす恐れが大きい。
【０００５】
本発明はこのような問題点に鑑みてなされたもので、簡単な構造で管の伸縮を吸収できる配管を実現し、上記の問題点を解消することを目的としている。
【０００６】
【課題を解決するための手段】
上記の目的を達成するために本発明は、
管と管の間を継手で接続するようにした配管構造において、
上記継手は、下流側の管とは隙間なく接合され、上流側の管との間では隙間を有し、非接合状態で組み付けられる構造としたものである。
さらに本発明では、上記継手の内周面に、上流側の管との間の隙間を保持するための突起を設けるとよい。
【０００７】
【発明の実施の形態】
以下、図面を参照しながら本発明の実施例について詳細に説明する。
図１（Ｂ）に本発明による配管構造を示す。これは従来例として示した同図（Ａ）と同様の配管構造であるも、管２と管３の間を接続する継手４に新規の伸縮対応型継手が採用されている。
【０００８】
この伸縮対応型継手の詳細な構造を図２に示す。
この伸縮対応型継手４は従来の継手よりも長い寸法を有し、水流方向の下流側の管３に対しては固定、上流側の管２に対しては非固定状態となされている。即ちこの継手４の下部は下流側の管３と隙間なく嵌合され、接着剤によって接合されており、これに対し継手４の上部は上流側の管２との間で数ｍｍ程度の隙間５を有し、非接合状態で組み付けられている。
【０００９】
つまりこの配管では、継手４に対し上流側の管２が隙間５をもって可動状態で挿入された構造となされており、このため気温の変化等によって管に伸縮が生じた場合、この伸縮は継手４と管２との間の隙間５による可動部分で吸収される状態となるので、管や継手に破損が生じる恐れはない。
【００１０】
またこの伸縮対応型継手４では、上流側の管２との間の隙間５により配管の傾きも吸収することができる。さらにこの伸縮対応型継手４は、管内に溜まったエアーを隙間５から外部に逃がすことができるエアー抜きの効果をも有する。
【００１１】
尚、この伸縮対応型継手４は、上流側の管２との間に隙間５を有する構造であるため、水流の一部が隙間５から漏れ出るようなことはない。
【００１２】
図３及び図４に本発明の発展例を示す。
即ちこの例は、伸縮対応型継手４の内周面に、上流側の管２との間の隙間５を保持するための突起６を設けたものである。この突起６は継手４の上部開口から深さ方向に長く延びる形状に形成され、これが継手４の内周面の複数箇所（この例では４箇所）に等間隔で設けられており、この突起６の先端部に接するように上流側の管２が継手４に挿入される構造となっている。
【００１３】
このような突起６を設けたことにより継手４は、上流側の管２との間の隙間５を全周にわたって確実に保持することができる。またこの突起６を設けたことにより継手４は、上流側の管２との間の隙間５を保持しつつも管２のガタつきを抑えることができ、スムーズな配管が可能となる。
【００１４】
尚、上記の実施例では突起６を４箇所に設けた場合を示したが、実際には３箇所以下あるいは５箇所以上に設けてもよい（但しバランスの関係から３箇所以上に設けることが望ましい）。
【００１５】
また上記の実施例では、継手としてソケット型（直管型）の継手を例示して説明したが、本発明はチーズ型（分岐管型）の継手でも実施が可能である。
【００１６】
【発明の効果】
以上の説明で明らかな如く本発明の配管構造では、継手と上流側の管との間の隙間によって管の伸縮が効果的に吸収されるので、管や継手に破損が生じる恐れはなく、信頼性の高い配管が可能となる。
【図面の簡単な説明】
【図１】配管構造の説明図で、（Ａ）は従来例、（Ｂ）は本発明の実施例である。
【図２】本発明の実施例の要部（伸縮対応型継手の部分）を示す縦断側面図である。
【図３】本発明の発展例を示す伸縮対応型継手の斜視図である。
【図４】同、平面図である。
【符号の説明】
２・・・・管（上流側）
３・・・・管（下流側）
４・・・・継手
５・・・・隙間
６・・・・突起
【図１】
2004218777.tif 000003
【図２】
2004218777.tif 000004
【図３】
2004218777.tif 000005
【図４】
2004218777.tif 000006
(57)【要約】【課題】従来のラックピニオン機構においては、ラック軸を支持する方法はすべり軸受であったために、ラック軸を直進させようとする場合にラック軸の芯振れが発生していた。さらに、すべり軸受のために摩擦抵抗も大きく、すべり軸受自身の寿命も短かかった。このことにより、例えば、ピニオン軸に減速機付きモーターなどを接続して、直進アクチュエーターとして使用する場合、このラックピニオン機構単独では使えず、補完的に必ず直線案内軸受が必要であった。この直線案内軸受を設けるための空間、部品点数、設計時間も余分に要するという問題点があった。【解決手段】上記目的を達成するために、本発明のラックピニオン機構においては、ボールスプライン軸にラック歯形を設けてこれをラック軸とする。【選択図】          図１
2004218756.tif 000002
【特許請求の範囲】
【請求項１】
ボールスプライン軸にラック歯形を設けてこれをラック軸としたラックピニオン機構。
【発明の詳細な説明】
【０００１】
【発明の属する技術分野】
本発明は、ラックピニオン機構に関するものである。
【０００２】
【発明が解決しようとする課題】
従来のラックピニオン機構においては、ラック軸を支持する方法はすべり軸受であったために、ラック軸とすべり軸受との間には若干の隙間が必要であった。
このため、ピニオンを回転させることにより、ラック軸を直進させようとする場合にラック軸の芯振れが発生するという問題点があった。さらに、ピニオン軸とラック軸の芯間距離が変化するためにピニオンとラックの噛み合いが悪いという問題点があった。さらに、すべり軸受のために摩擦抵抗も大きく、すべり軸受自身の寿命も短かいという問題点があった。このことにより、例えば、ピニオン軸に減速機付きモーターやエアーモーター、ロータリーアクチュエーターなどを接続して、直進アクチュエーターとして使用する場合、ある対象物を滑らかに直進搬送しようとするときには、このラックピニオン機構単独では使えず、補完的に必ず直線案内軸受が必要であった。この直線案内軸受を設けるための空間、部品点数、設計時間も余分に要するという問題点があった。
本発明は、これらの問題を解決することを目的としている。
【０００３】
【課題を解決するための手段】
上記目的を達成するために、本発明のラックピニオン機構においては、ボールスプライン軸にラック歯形を設けてこれをラック軸とする。
【０００４】
【発明の実施の形態】
発明の実施の形態を実施の１例にもとづき図面を参照して説明する。
図１、図２において、ケース１内にころがり軸受４により支持されるピニオン軸５がある。ラック歯形を設けたボールスプライン軸３はピニオン軸５と噛み合い、直交する方向に配置する。このとき、ラック歯形はボール転送溝６と干渉しない部分に設ける。ボールスプライン軸３はボールスプライン軸受２により支持される。
【０００５】
【発明の効果】
本発明は、以上説明したように構成されているので、以下に記載されるような効果がある。従来のラックピニオン機構においては、ラック軸を支持する方法はすべり軸受であったために、ラック軸の芯振れが発生したが、本発明ではボールスプライン軸にラック歯形を設けて、これをラック軸としたことにより、ラック軸の芯振れが極めて小さくなり、また、極めて滑らかに、かつ、精密に動かすことができる。さらに、ピニオン軸とラック軸との芯間距離も変化しないので、ピニオンとラックとの噛み合いも良くなる。そして、ラック軸とその軸受はお互いにころがり摩擦により、相対的に動いているので、摩耗が少なく、長期間安定した精度が、維持できる。さらに、ころがり疲れに基づく寿命予測ができるので、部品としての信頼性が向上する。また、摩擦係数が小さいため、動力が少なくて済むので駆動部の小形化ができる。
【０００６】
そして、例えば、減速機付きモーターやエアーモーター、ロータリーアクチュエーターなどをピニオン軸に接続し、直進アクチュエーターとして使用する場合、ある対象物を滑らかに直進搬送しょうとするとき、本発明のラックピニオン機構単独で使用可能で、従来のすべり軸受方式のときには補完的に必ず必要であった直線案内軸受が不要になる。
【図面の簡単な説明】
【図１】請求項１の実施例の図面である。
【図２】図１のＡ−Ａ断面図である。
【符号の説明】
１    ケース
２    ボールスプライン軸受
３    ボールスプライン軸
４    ころがり軸受
５    ピニオン軸
６    ボール転送溝
【図１】
2004218756.tif 000003
【図２】
2004218756.tif 000004
(57)【要約】【課  題】技術を要する仕事であるブロック積み工事は１個１個積み上げ作業中に、横擦れ、はみ出し高低に狂いが起こり易い、従って技術職人は水平器、水糸、ハンマを使って一個一個正確に修正し、センターを出しながらブロックの積み上げ工事を、なされてきた、素人では出来ない大変な作業であった。【解決手段】本発明が解発した凹凸ブロック凹凸レンガは従来の数倍の早さで施工が出来る、只重ね上げるだけにして自動的に直線センターが出る凹凸噛合設計で横擦れ、はみ出し等の狂いは全く起こらない凹部に凸部を噛合させて積み上げるだけで何百個並べても規格通り自動的に且つ正確に直線センターが出る様に成した凹凸ブロック凹凸レンガ。【選択図】図１
2004218404.tif 000002
【特許請求の範囲】
【請求項１】
ブロック積み諸工事を簡単容易に素人でも施工可能にした凹凸ブロック凹凸レンガは凹凸噛合ブロック設計で凹部３に凸２が噛合する事で横擦れはみ出し等の狂いは全く起こらない又数倍の能率で何百個並べ積み上げても規格通り自動的且つ正確に直線センターが出る更に積み上げ自重で噛合力は強化されブロック積み工事を一体形ブロック化する凹凸ブロック凹凸レンガ。
【発明の詳細な説明】
【０００１】
【産業上の利用分野】
凹凸ブロック凹凸レンガの利用分野は各家庭から工場に至るまで巾広く利用されるものであり、その実施施工は只並べ重ね上げるだけで希望する区画造り花壇、ブロック塀等が容易にできる一般家庭用の素人向けに開発した凹凸ブロック凹凸レンガ。
【０００２】
【従来の技術】
従来のブロックやレンガは上下の重ね合わせる面が平らであったため重ねても自由に動く、従って一段積んではその上に接着用のモルタルを敷き、二段目を上げる、この時技術職人は水糸と水平器を使ってブロックの高い方をハンマで叩き下げる、次ぎに横擦れ、はみ出しをハンマで叩き調整する、この作業を１個１個水平器と水糸に合わせて積み上げていた従来のブロック、レンガ積み作業であった。
【０００３】
【発明が解決しょうとする課題】
ブロック積み職人に若い者がいなく成って最近では住宅回りの工事が進まない業者も多い今日では従来の様な技術を必要としないで素人職人でも手軽に簡単にブロック施工が出来る様なブロックの開発が要求されてきた、この要求に答えるべくして開発された本発明の凹凸ブロック凹凸レンガである。
【０００４】
【課題を解決するための手段】
フロック塀工事に要求される技術は積み上げたブロックが水平線上に並んでいる事、又横擦れ、はみ出しも許されない、この大変な作業を素人でも出来る本発明は先ず基礎工事一段目だけ従来の様に水糸と水平器を使って正確に水平と直線に注意し一段を並べて置く、後はその上に二段三段と次々に重ねて積み上げるだけで、水平センターは凹凸部が噛合する事により自動的に出来てくる、高さ調整も横擦れも全くなく作業は数倍の早さで施工出来る、積み上げ完了後は、１０の穴からモルタルを流し込んで接着固定し完成させる又、レンガは凹凸レンガであるため希望通の形に積み上げるだけで動かない、花壇造りや手造園芸等手軽に出来る凹凸ブロック凹凸レンガである。
【０００５】
【作  用】
技術なし水平器なしでもブロック積み施工が出来る凹凸ブロック凹凸レンガは凹部３に凸部２が嵌まる噛合作用によって積み上げ施工作業中に１個１個が横擦れ、はみ出し等の狂いは全く起こらない凹凸噛合ブロック設計である従って一度積み上げられたブロック、レンガは地震のため地盤沈没等以外は崩れない噛合作用からなる凹凸ブロック凹凸レンガ。
【実  施  例】
【０００６】
以下本発明の実施例について説明する
本発明の凹凸レンガ図１図２図３図４図５はレンガの形状が異なっても重ね上げるだけで横擦れ、はみ出しは皆無である、接着モルタル等を使用しないで自由な形にお庭等のアクセサリーに、花壇に二段三段と積み上げるだけで動かない、又この凹凸レンガで長方形に造られた花壇は保水力が長く一週間に一度位の水掛で花は安定成長する又、花壇の移動組み立ても自由に出来る等手軽に家庭園芸等に利用できる凹凸レンガである。
【０００７】
図６図７図８図９は住宅地等のブロック塀に利用する凹凸ブロックである
本発明は基礎工事一段目を水平器を使って正確に水平センターを出して並べるだけで、後は３の凹部に２の凸部を次々に填め込むだけで横擦れ、はみ出しは皆無である三段五段と希望の高さに重ね上げて完了する、連結固定は１０の縦穴からセメントモルタルを流し込み固定する、鉄筋入れは横筋なし縦筋のみで施工する凹凸噛合作用が横筋役を各段毎に果たしているため従来より横筋役を強化し且つ高能率的な凹凸ブロック積み工事である。
【０００８】
【発明の効果】
工事が積み上げるだけで直線センターが出て動かない、凹凸レンガはお庭の花壇造りに、区画コーナ造りに又、レンガの裏面を利用して菜園通路等に並べ積み上げるだけで動かない、園芸資材としても凹凸レンガの用途は限りない夢が広がる本発明の発想効果は大なるものである又、プロの職人さんは元より一般家庭の素人でも工事が、いとも簡単に出来て、しかも早くて強度は強化する凹凸ブロックの誕生にブロック生産業者では早くも倍増設備を考慮する等の話も出ている本発明に寄せる期待は大なるものである。
【図面の簡単な説明】
【図１】レンガの二段重ね斜面図
【図２】レンガの凹を上にした斜面図
【図３】レンガを直積みした斜面図
【図４】レンガの側面図
【図５】レンガの正面図
【図６】ブロックの斜面図
【図７】ブロックの側面図
【図８】ブロックの上面図
【図９】ブロックの５段積み斜面図
【符号の説明】
１、レンガ本体
２、レンガ凸部
３、レンガ凹部
４、土  面
５、基礎コンクリート
６、ブロック本体
７、ブロック凹部
８、ブロック凸部
９、平  面
１０、穴
【図１】
2004218404.tif 000003
【図２】
2004218404.tif 000004
【図３】
2004218404.tif 000005
【図４】
2004218404.tif 000006
【図５】
2004218404.tif 000007
【図６】
2004218404.tif 000008
【図７】
2004218404.tif 000009
【図８】
2004218404.tif 000010
【図９】
2004218404.tif 000011
(57)【要約】【課題】工事区分等の境界を示すときに杭を仮設し、仮設した杭や柱等に巻き付けたり縛り付けたり、重くかさばるバリケードを並べる必要が無くなるカラーコーン用リングフックを提供する。【解決の手段】リングの側面に、ロープ状のものを固定できるフックを設けるカラーコーン用リングフック。【選択図】    図１
2004218408.tif 000002
【特許請求の範囲】
【請求項１】
リングの側面にロープ状のものを固定できるフックを設けたカラーコーン用リングフック。
【発明の詳細な説明】
【０００１】
【発明の属する技術分野】
この発明は、工事作業区分等の境界を示すロープ状のものに取り付ける機具に関するものである。
【０００２】
【従来の技術】
従来は、工事作業区分等の周囲に立入禁止を示すために、ロープを使って示すことが多い。その際、仮設した杭や、柱等にロープを巻き付けたり縛り付けたり、重くかさばるバリケードを並べロープを引っ掛けていた。
【０００３】
【発明が解決しようとする課題】
しかし、ロープで境界を示そうとすると杭を仮設し、仮設した杭や柱等に巻き付けたり縛り付けたり、重くかさばるバリケードを並べる作業に時間と手間がかかった。
本発明は、これらの欠点を解決するために発明されたものである。
【０００４】
【課題を解決するための手段】
カラーコーンの上部に引っ掛かる大きさのリングの側面に、ロープ状のものを固定できるフックを設けるカラーコーン用リングフック。
【０００５】
【本発明の実施の形態】
以下、本発明の実施の形態について説明する。カラーコーンの上部に引っ掛かる大きさのリング（１）の側面に、ロープ状のものを固定できるフック（２）（３）を設けた。本発明は、以上のような構造でこれを使用するときは、図３が示すようにフック（２）（３）へロープ（５）状のものを固定し、リング（１）をカラーコーンに引っ掛ける。なお、図４に示すように、ロープ（５）の端に止め具や結び目を設けることによって、ロープの端にも使える。なお、第２実施形態も同じことが言える。
【０００６】
図１は、リング（１）の側面に、きのこ形状のフック（２）を設けた第１実施形態を示している。
きのこ形状のフック（２）の端、かさの部分はカールし、ロープ状のものが外れにくくなって固定される。
【０００７】
図２は、リング（１）の側面に、口の狭い円形のフック（３）を設けた第２実施形態を示している。
円形のフック（３）の口が狭くなって、ロープ状のものが外れにくくなって固定される。なお、図２の円形のフック（３）には、チェーンも引っ掛けられるようになっている。
【０００８】
本発明は、上記実施形態に限定されることなく種々の変更が可能である。なお、本発明はカラーコーン以外にも使用することができる
【０００９】
【本発明の効果】
これにより、工事作業区分等の境界を示すときに、ロープを張る柱等を探すことや杭を仮設する手間がはぶけ、重くかさばるバリケードを準備する必要がなくなった。
【図面の簡単な説明】
【図１】図１は、本発明の第１実施形態の斜視図
【図２】図２は、本発明の第２実施形態の斜視図
【図３】図３は、第１実施形態の実施例の図
【図４】図４は、第１実施形態の第２実施例の図
【符号の説明】
１リング
２きのこ形状のフック
３円形のフック
４カラーコーン
５ロープ
６止め具又は結び目
【図１】
2004218408.tif 000003
【図２】
2004218408.tif 000004
【図３】
2004218408.tif 000005
【図４】
2004218408.tif 000006
(57)【要約】      （修正有）【課題】積雪地方の道路脇の路肩に設置される防雪柵であって、本装置の基礎及び下部支柱が頑強なために、スリップ等で重大事故の要因となったりする例もあるので、本装置への車両突入事故時の人身、物損事故の軽減化や路外転落防止を図るガードケーブル付防雪柵装置を提供する。【解決手段】道路脇の路肩に設けられる防護柵装置の下部支柱４に、取り付け金具３と、３と一体のブラケット２を取り付け、各支柱４のブラケット２の間にガードケーブル１を緊張設置し、ガードケーブル付防雪柵装置を形成する。【選択図】図２
2004218403.tif 000002
【特許請求の範囲】
【請求項１】
道路の路肩に間隔を置いて立設される支柱と、その支柱に数段の防雪板を取り付けた防雪柵において、支柱の道路側下方に、車両防護ガードケーブルを備え構成させたことを特徴とする防雪柵装置。
【請求項２】
前記防雪柵に車両防護ガードケーブルを備えるために、防雪柵の支柱への取り付け金具を介して、ガードケーブルを防雪柵の支柱に取り付け備えたことを特徴とする請求項１記載の防雪柵装置。
【発明の詳細な説明】
【０００１】
【発明の属する技術分野】本発明は、積雪地方における道路脇の路肩に設置される防雪柵装置であって、冬季の吹雪による視界不良や道路の積雪、吹き溜まりを防止し、さらに本装置への車両衝突事故時の人身、物損事故の軽減化を図る防雪柵装置に関するものである。
【０００２】
【従来の技術】従来の防雪柵装置は、一般的には通行車両の本装置への衝突事故への考慮がなされていないものが多く、特開２０００−１９９２０９号において、防雪柵の前方にガードロープを別に設置したものや、特開平７−６２６１４号では夏季の防雪柵収納時に支柱や防雪板が収納され、路面から突出しないよう考慮されたものはあったが、殆どの防雪柵装置はこれに車両が衝突して重大な事故の原因になりかねないものが多かった。
【０００３】
【発明が解決しょうとする課題】本発明は、このような道路通行中の車両が、防雪柵装置にスリップで衝突したりして、重大な事故につながらないよう安全緩衝装置を備え、さらに通行者に圧迫感を与えたり、景色を阻害しないような防雪柵装置を提供することを目的とする。
【０００４】また、本安全緩衝装置が防雪板による風向調節機能を阻害して、吹雪の際の視界の確保や、吹きだまり防止機能に影響を与えないものでなければならない。
【０００５】
【課題を解決するための手段】本発明は、上記のような従来における防雪柵装置の問題点に鑑み、本装置が冬季の吹雪による視界不良や、道路の積雪や吹き溜まりを防止するだけでなく、スリップ事故等での車両の路外転落防止や、本装置への衝突時の人身、物損事故や本装置損壊の軽減化が図れる、防護ガードケーブル付き防雪柵装置の提供を目的としたものである。
【０００６】請求項１の発明は、その具体的手段として、道路の路肩に間隔を置いて立設される支柱と、その支柱に数段の防雪板を取り付けた防雪柵装置において、本支柱の道路側下方に固定設置されたブラケットに緊張設置されたガードケーブルが、車道側からの衝突事故車両の衝撃を緩和し、事故による損壊の軽減化を図るようガードが形成されていることを特徴とする。
【０００７】請求項１が防雪柵装置製作時にブラケットを固定設置するのに対し、請求項２の発明は、既設の防雪柵装置の道路側支柱に、取り付け金具を介して一体のブラケットを取り付け設置し、ガードケーブルを緊張設置することを特徴とする。
【０００８】
【発明の実施の形態】本発明に係るガードケーブル付防雪柵装置の構成を、図面に示す実施例について説明すると、図１は本発明の構成を示す防雪柵装置の道路側から見た防雪時の正面図であり、図２はその側面図で、図３は防雪板収納時の側面図である。下部支柱４の上部には上部支柱５が乗った形で固定され、この支柱５に防雪板６が傾斜させて設置させることにより、道路に吹き付ける横風を所定の方向に誘導する機能を備える。さらに本発明は上記防雪機能に加えて、下部支柱４に取り付け設置されたブラケット２にガードケーブル１を緊張設置し、道路７を走行する車両が衝突事故を発生させた時の衝撃を緩和させる。
【０００９】以上、本発明の好適な実施の形態について説明したが、本発明は前記の実施例に限定されることなく、本発明の精神を逸脱しない範囲において、多くの設計変更が可能である。
【００１０】
【発明の効果】以上述べたように、本発明のガードケーブル付防雪柵装置は、主に道路脇の路肩に設置される本装置の下部支柱に取り付け設置されたブラケットに、直接ガードケーブルが設置されるので、特別なガードケーブル設置のための土地を必要とせず、ケーブルは防雪板により誘導された風向の邪魔にならないので、防雪柵本来の機能に影響を与えることなく、走行する車両がスリップ等で衝突事故を発生させても、その事故による損傷、損害を軽減できる。
【図面の簡単な説明】
【図１】本発明に係るガードケーブル付防雪柵装置の防雪時正面図。
【図２】本発明に係るガードケーブル付防雪柵装置の防雪時側面図。
【図３】本発明に係るガードケーブル付防雪柵装置の防雪板収納時側面図。
【図４】防雪柵下部支柱取り付け金具及びブラケットの平面図。
【符号の説明】
１  ガードケーブル
２  ブラケット
３  下部支柱取り付け金具
４  防雪柵下部支柱
５  防雪柵上部支柱
６  防雪板
７  道路（車道）
８  防雪柵基礎
【図１】
2004218403.tif 000003
【図２】
2004218403.tif 000004
【図３】
2004218403.tif 000005
【図４】
2004218403.tif 000006
(57)【要約】      （修正有）【課題】壁が暑くなるのを生かして、抑えるかそれと部屋が暑くならないようにするには如何すべきかを考えた。【解決手段】サイデングの表面を針山状態にする事により表面が風が通ようにした、それが結果は、暑くもならず放射もしなくなりまして照射も今までの５分のＩにまで減った。表面を風が抜ける事により、熱の貯えもなくなり、結果は外断熱工法をしのぐ効果がでた。たとえば結露なくなり、カビも生えずくなった。【選択図】なし【特許請求の範囲】
【請求項１】
表面が針山（剣山）状態なので太陽の熱を持たない。
アスアルトやコンクリートとの放射熱も受けにくい。
【請求項２】
表面が針山状態なので熱を貯えずらいので、自分から熱を出さないから環境に大変良い。放射しない。
【請求項３】
表面が針山状態なので、光る物を持たないので。
他に光をやらないし、照射もしないから、此の点でも環境に良い。
【発明の詳細な説明】
【０００１】
【従来の技術】
サイデングの表面を針山（花の剣山の状態）にする事により、太陽やその他もろもろの熱を最小限度しか受けないですむ、受けないと言うことは熱量を持たないから放射もしない。照射もしない、から部屋の温度も保たれやすい。外の温度に左右されなければ、部屋の中の環境も、アトピーにも大変良いと思います。
【０００２】
【従來の物は】
今までのサイデングは太陽に照らされて、熱くて触る事も出来ないくらいに成った。それ故に部屋の中もなかなか温度が遅くまで下がらない。
部屋の中に湿気になりガラスに露梅雨となって溜まる。
【０００３】
【発明の実施の形態】
従来とは光が有っても反射しない、施工方法は同じで、有りながら、外断熱工法のような効果がある。
【０００４】
【発明の効果】
針山（剣山状態）なので部屋の中の温度を管理がやり易く成った。外の環境も、中の環境も良くなったことです。
【図面の簡単な説明】
サイデングの厚みが１．８ミリそして針状態が８ミリです
１．５メイトル×４５ｃｍで厚みが１．８ミリの板で１ｃｍ四方に針山が１８本にする
2004218405.tif 000002
(57)【要約】【課題】外的エネルギーを必要とせず、バネの復帰力を利用し回転子の円形褶動溝内側の円周移動する動力により回転軸を駆動し回転動力を発生させる。【解決手段】柔軟で復帰力のある材質で帯状に形成される素材の両端に回転負荷の少ないローラーを設けた褶動回転子を、円形で凹形状の褶動溝に複数個配置し、褶動溝と同芯で回転する回転板上に滑合された加圧軸により各褶動回転子に歪曲力を与え褶動回転子が歪み応力により褶動溝に沿って回転移動する構成を有することを特徴とする回転駆動方式パワーレスモーター。【選択図】  図２
2004218495.tif 000002
【特許請求の範囲】
【請求項１】
柔軟で復帰力のある材質で帯状に形成される素材の両端に回転負荷の少ないローラーを設けた褶動回転子を、円形で凹形状の褶動溝に複数個配置し、褶動溝と同芯で回転する回転板上に滑合された加圧軸により各褶動回転子に歪曲力を与え褶動回転子が歪み応力により褶動溝に沿って回転移動する構成を有することを特徴とする回転駆動方式パワーレスモーター。
【発明の詳細な説明】
【０００１】
【発明の属する技術分野】
本発明は従来一般的に使用されている電動モーターに代り新たな動力源として利用出来る回転駆動方式のパワーレスモーターであり主に低トルクで利用される分野の商品の回転動力源としての使用にその効果が期待される。
利用例として扇風機、自動車の補助動力機、車椅子の補助動力機、各種発電機等その効果は広範囲にわたる。
【０００２】
【従来の技術及び発明が解決しようとする課題】
従来、回転動力は水力、火力、風力電動機、各種内燃機関等にて作られて来たが本発明は外的エネルギーを必要とせず、バネの復帰力を利用し回転子の円形褶動溝内側の円周移動する動力により回転軸を駆動し回転動力を発生させる。
即ち回転動力は回転子のバネ圧が疲労し消滅する迄持続する。
従って本発明を効率良く実現するには回転子のバネ圧が長時間保持出来る事が課題と言える。
【０００３】
【課題を解決するための手段】
本発明は、これに鑑み種々研究の結果、回転子が褶動する褶動溝の外周径と内周径の差（溝の中）と回転子の歪みバネの長さ及びバネの材質等の組合せにより効率の良い褶動回転子が作成される。
即ち本発明はそれぞれの使用目的によって褶動溝の大きさと褶動回転子の大きさを設定する事で回転動力の強度を選択出来る。
又、一周の褶動溝に複数個の褶動回転子を設施すれば複数倍の褶動回転力が得られる。
【０００４】
【実施例】
本発明を実施例により詳細に説明する。
図１及び図３−１，図３−２に示す構成を説明する。
（１）は円盤体の内周に沿って環状に設けられた褶動溝、（２）は回転駆動軸受、（３）は回転駆動軸、（４）は回転板、（５）は柔軟で復帰力のある材質で帯状に形成される素材（バネ素材）からなる歪み褶動加圧バネ、（６）はバネ（５）の両端に設けたローラー、（７）は捩じれ駆動軸、（８）は回転板（４）の外周に設けた切欠に滑合する滑合軸受、（９）は滑合軸受（８）に捩じれを与えるための捩じれ加圧レバー、（１０）は加圧スプリング、（１１）はカバーである。
【０００５】
次に駆動原理を説明する。
褶動溝（１）は中芯に回転駆動軸受（２）が組み込まれて、回転軸と同芯の外周に凹型の円形溝が形成されている。
回転駆動軸（３）に固定された回転板（４）には複数個の等角度で円周上に滑合された滑合軸受（８）が組み込まれている。
それぞれの滑合軸受（８）には捩じれ駆動軸（７）と捩じれ加圧レバー（９）が組み込まれ、かつ捩じれ駆動軸（７）により歪み褶動加圧バネ（５）が滑合されバネの両端にはローラ（６）が設けられている。
【０００６】
図２の動作原理説明図に於いて回転動作を詳細に説明する。
右回転駆動する場合は捩じれ駆動軸（７）に右回転の力（Ｒ）を加えると、褶動溝（１）の外周側のローラー（６）と内周側のローラー（６）の支点間歪み褶動加圧バネ（５）の外側１／３の加圧点に右捩じれ力が加えられ褶動加圧バネ（５）はＳ字状に変形し、捩じれ駆動軸（７）を褶動溝（１）に沿って右方向へ移動させる回転応力が発生する。従って褶動回転子は右回転移動し、滑合軸受（８）が回転板（４）に滑合されているので回転駆動軸（３）は右回転する。
例えばスプリング（１０）により各回転子に右捩じれ力を加える。スプリング（１０）に代えて同効の磁石等を用いることもできる。
【０００７】
【発明の効果】
このように本発明は従来にない簡単な方式と構造で回転駆動力の発生を実現出来るものであり、あらゆる製品の動力源として利用され、省エネ効果に貢献出来るものと期待される。
【図面の簡単な説明】
【図１】本発明の構成斜視図である。
【図２】本発明の動作説明図である。
【図３−１】本発明の図３−２のＢ−Ｂ’断面図である。
【図３−２】本発明の図３−１のＡ−Ａ’断面図である。
【符号の説明】
１…褶動溝
２…回転駆動軸受
３…回転駆動軸
４…回転板
５…歪み褶動加圧バネ
６…ローラー
７…捩じれ駆動軸
８…滑合軸受
９…捩じれ加圧レバー
１０…加圧スプリング
１１…カバー
【図１】
2004218495.tif 000003
【図２】
2004218495.tif 000004
【図３−１】
2004218495.tif 000005
【図３−２】
2004218495.tif 000006
(57)【要約】【目的】生花に近い鮮やかさや艶やかさを有し、高級感のある造花を得る。【構成】本発明の造花は、薄布で裏打ちされた着物帯地からなる造花材料を使用して作成した花弁及び／又は葉を有することを特徴とする。本発明の造花の製法は、着物帯地の裏に薄布を貼り付けて造花材料を作成する工程、及び、この造花材料により花弁及び／又は葉を作成する工程を有することを特徴とする。本発明の造花において、着物帯地に裏打ちする薄布は正絹の薄布が好ましい。本発明の造花の製法において、着物帯地の裏に薄布を貼り付ける前に、着物帯地の裏にフロートしている糸があれば予め除去しておくことが好ましい。【選択図】  図２
2004218095.tif 000002
【特許請求の範囲】
【請求項１】
薄布（３）で裏打ちされた着物帯地（１）を使用して作成した材料（４）からなる花弁及び／又は葉を有することを特徴とする造花。
【請求項２】
薄布（３）が正絹である請求項１記載の造花。
【請求項３】
着物帯地（１）の裏に薄布（３）を貼り付けて造花材料（４）を作成する工程、及び、この造花材料（４）により花弁及び／又は葉を作成する工程を有することを特徴とする造花の製法。
【請求項４】
着物帯地（１）の裏に薄布（３）を貼り付ける前に、着物帯地（１）の裏にフロート糸（２）があれば除去する工程を有する請求項３記載の製法。
【発明の詳細な説明】
【０００１】
【発明の属する技術分野】
本発明は造花及びその製法に関する。
【０００２】
【従来の技術及び発明が解決しようとする課題】
従来、造花は紙、布、プラスチック等で作られている。
【０００３】
紙や布で造花を作るには、まず花芯を作ってから、この上に順次大きくなった花弁を重ねて行く方法が一般的によく行われている。
【０００４】
造花に使用している紙や布は白紙及び色紙・色布である。色紙・色布としては、緑、ピンク、黄等の色を紙・布全体にわたって均一につけたものが使用されている。
【０００５】
しかし、このように単一色で色づけした色紙・色布では、ある程度の鮮やかさや艶やかさはあるが、地味で、余り目立たず、高級感のでない造花にしかならないという問題があった。
【０００６】
この問題を改善するために、この従来の白色又は均一色の色紙・色布を使用して、今までと同じように造花を作成した後に、この造花の上に筆や刷毛で着色用インクを塗布して部分的な彩色を行ったり、造花の上に着色用インクを落としたり、吹きつけたりして造花全体に点状の着色を行うという方法が行われるようになった。
【０００７】
しかし、この方法では着色用インクを筆や刷毛につけて、手でいちいち丁寧に塗布しなければならないために、非常に能率が悪く、かつ一定の品質の造花を作るのに、かなりの熟練を要した。またたとえ熟練者がこの作業を担当したとしても、いつも一定のものができるとは限らず、不良品が出やすかった。また上記のように色紙で造花を作製した後に色づけを行ったものは着色工程中又は乾燥工程中に造花の形が崩れることがあるという問題もあった。
【０００８】
プラスチックでも、紙や布と同じように花芯の上に厚さの薄いフィルムで作った花弁をのせ、固着させて作る方法も行われている。最近は金型の技術が著しく向上して、花芯とか花弁のように、複雑で微妙な形状までかなりよく再現できるようになっている。
【０００９】
しかし、プラスチックは色、艶、風合がいかにも人工的で、一見して模造品と分かるので安物という印象がある。またプラスチック造花は、プラスチック特有の見た目の硬さや風合、艶等が生花とは明らかに違っている。
【００１０】
【発明が解決しようとする課題】
本発明は、生花に近い鮮やかさや艶やかさを有し、高級感のある造花を提供することを目的とする。
【００１１】
【課題を解決するための手段】
本発明の造花は、薄布で裏打ちされた着物帯地を使用して作成した材料を使用して作成した花弁及び／又は葉を有することを特徴とする。
【００１２】
本発明の造花の製法は、着物帯地の裏に薄布を貼り付けて造花材料を作成する工程、及び、この造花材料により花弁及び／又は葉を作成する工程を有することを特徴とする。
【００１３】
【発明の実施の態様】
着物帯地は織帯と染帯に大別することができる。前者は先染の糸で織り上げた物で、豪華で重厚な雰囲気を持っており、多く礼装、正装に用いられる他、幅の細いものは日常用としても用いられ、染帯よりも上格とされる。錦、繻珍（しゅちん）、綴（つづれ）、紗（しゃ）、絽（ろ）、博多織などがこれに含まれる。後者は、縮緬、塩瀬、羽二重、綸子、木綿などに友禅、小紋、絞（しぼり）、紅型（びんがた）などの染めを施したもので、趣味的な着物や、普段着的なものに用いられることが多いが、これに箔（はく）おきや刺繍を行うことにより高級品とし、礼装、正装に用いることもある。本発明においては、いずれも用いることができる。
【００１４】
本発明の造花において、着物帯地に裏打ちする薄布は正絹の薄布が好ましいがその他の生地・紙でもよい。裏打ちの方法は、糊や接着剤による貼り付けが普通である。これをすることにより、花弁等の先端から着物帯地がほつれるのを防止することができる。
【００１５】
本発明の造花の製法において、着物帯地の裏に薄布を貼り付ける前に、着物帯地の裏にフロートしている糸があれば予め除去しておくことが好ましい。
【００１６】
【実施例】
以下、添付の図面に基づき、本発明の実施例を説明する。
【００１７】
図１は本発明に係る造花の花弁の模写である。花弁のそれぞれは着物帯地から製作される。
【００１８】
図２はその製造方法を示す流れ図である。まず、着物帯地１を用意し（ａ）、裏にフロート糸２があればこれを除去する（ｂ）。その後、接着剤を使用して正絹の薄布３で着物帯地を裏打ちし、（ｃ）造花作成用の材料４とした（ｄ）。
【００１９】
以後の花弁作成工程は従来と同様、まず花芯を作ってから、この上に順次大きくなった花弁を重ねていった。この部分は従来技術と同じなので詳細な記載は省略する。
【００２０】
【発明の効果】
本発明によれば、造花材料として薄布で裏打ちされた着物帯地を使用するので、生花に近い鮮やかさや艶やかさを有し、高級感のある造花が得られる。しかも薄布で裏打ちしているので、花弁等の先端から着物帯地がほつれるのを防止することができる。
【図面の簡単な説明】
【図１】本発明に係る造花の花弁の模写である。
【図２】本発明に係る造花材料の製造方法を示す流れ図である。
【符号の説明】
１              着物帯地
２              フロート糸
３              薄布
４              造花材料
【図１】
2004218095.tif 000003
【図２】
2004218095.tif 000004
(57)【要約】【課題】従来のゴム、ビニール類の手袋は、通気性がなく長時間使用すると中が蒸れてしまい、不快感を与えてしまう。【解決手段】ゴム、ビニール類の手袋の、直接物に触れない手の甲の部分に通気のための穴をあける。【選択図】  図１
2004218143.tif 000002
【特許請求の範囲】
【請求項１】
通気のための穴があいたことを特徴とするゴム、ビニール類の手袋
【発明の詳細な説明】
【０００１】
【発明が属する技術分野】
本発明は、ゴム、ビニール類の手袋に関するものである。
【０００２】
【従来の技術】
従来のゴム、ビニール類の手袋は、手と物が直接触れるのを防ぐのみである。
【０００３】
【発明が解決しようとする課題】
解決しようとする問題点は、通気性がなく長時間使用すると中が蒸れてしまい、不快感を与える点である。
【０００４】
【課題を解決するための手段】
ゴム、ビニール類の手袋の、直接物に触れない手の甲の部分に通気のための穴をあける。
【０００５】
【実施例】
本発明の実施形態を、図１および図２に示す。
【０００６】
【発明の効果】
通気性を確保し、蒸れを防止し、快適な利用が可能となる。
【図面の簡単な説明】
【図１】本発明の実施方法を示した説明図である。
【図２】本発明の実施方法を示した説明図である。
【図３】従来の技術を示した説明図である。
【符号の説明】１  本体
２  通気のための穴
【図１】
2004218143.tif 000003
【図２】
2004218143.tif 000004
【図３】
2004218143.tif 000005
(57)【要約】【課題】着物や和服・和装の肌着として用いても衿のデザインが着物や和服・和装とのあい、美観を損ねることなく着ることができ、着付け・洗濯・手入れの容易であり、また洋服・洋装としての装いや単品での使用が可能なシャツを提供する。その上、衿を交換したり、一般にポケットを伴わない着物や和服・和装での装いの際の貴重品などを入れるうちポケットとしての役割を持つものも提供する。【解決手段】洋服・洋装に用いられるシャツやワイシャツの仕立てを基本として着物、和服・和装の肌着として適し、且つ洋服・洋装にも合うように衿を施して加工する。【選択図】        図２
2004218132.tif 000002
【特許請求の範囲】
【請求項１】
洋服・洋装に用いられるシャツやワイシャツの仕立てを基本として着物、和服・和装の肌着として適し且つ洋服・洋装にも合う衿を施したシャツ。
【請求項２】
請求項１記載のシャツの衿が取り替えられるように加工したもの。
【請求項３】
請求項１および請求項２記載のシャツの衿に衿芯を入れられるように加工したもの。
【請求項４】
請求項１および請求項２および請求項３記載のシャツにポケットをつけ加工したもの
【発明の詳細な説明】
【０００１】
【発明が属する技術分野】
本発明は、着物や和服・和装に適し、かつ単品でも、洋服・洋装にも着用できるシャツに関するものである。
【０００２】
【従来の技術】
着物や和服・和装の着る際において従来は、肌着としては、肌襦袢および長襦袢を用いてきた。又、アンダーシャツやＴシャツなどの洋服の肌着を代用する場合もあった。
【０００３】
【発明が解決しようとする課題】
肌襦袢や長襦袢を肌着として用いた場合は、材質上、洗濯が困難であった。ベンジン等の有機性の溶剤などを用いて汚れをふき取ったりすると生地を傷めたりする恐れがあった。
【０００４】
その解決策として、半襟などを長襦袢に取り付けて着用すること等もあったが、毎回縫い付けたりして施す必要があり、手間がかかった。
【０００５】
また、洋服などを着る際の肌着を用いた場合、襟の部分が丸型などで、着物や和服・和装の衿元から覗き不釣合いであった。
【０００６】
【課題を解決するための手段】
この改善策として本発明は、洋服・洋装などのシャツやワイシャツの仕立てを基本にして、衿の部分をやや深め施し、着物や和服・和装に合う衿にして加工した。
【０００７】
【発明の実施の形態】
本発明により得られるシャツは着物や和服・和装に適したデザインをもち、かつ着付けや洗濯が容易である。その上、単体でも和装、洋装を問わず着用できる。前の閉じたもの、前を開け、ボタンなどで閉じるもの、さまざまな長さなどの形態に用いられる。
【０００８】
【実施例】（実施例１）
図１は本発明により得られる請求項１のもののうち半袖のもので、且つ前を開けボタンでとめるものの正面図を示しており、１はシャツ、２はシャツの衿の部分を表す。図２は図１の本発明のシャツを肌着としてその上に着物を着用した場合を示しており、太線が上から着たきものであり、斜線の部分は外観からは見えない本発明のシャツを示す。３は外観から見えるシャツの衿、４は着物、５は帯をあらわす。図３は同様に本発明のシャツを肌着としてその上に女性用の着物を着た場合を示している。
【０００９】
【実施例】（実施例２）
図４は本発明により得られる請求項２のものの衿の取り付け部分の断面図を示したものである。１はシャツ、６は取り付ける衿、７は取り付ける器具をあらわす。取り付ける器具は、ホックやボタン、ジッパーなど種類は問わないがここにはホックでの取り付けの場合を示した。
【００１０】
【実施例】（実施例３）
本発明の請求項１に記載した肌着の外側もしくは内側に袋を拵えて、ポケットを施し、請求項４のシャツとする。図５はその全体図である。１がシャツ、８がポケットを表す。ここに示すポケットは上部の開いたもの、閉じたもの、ふたを施したものなどどのようなものでもかまわない。
【００１１】
以上、本発明の好適な実施例について説明したが、本発明は前記実施例に限定されることなく、肌着の素材、色、模様、衿のデザイン、袖の丈や大きさ等、本発明の精神を逸脱しない範囲内において多くの設計変更が可能である。
【００１２】
【発明の効果】
以上のように従来では、肌襦袢・長襦袢を洗濯するのが困難であったり、生地を傷めたり、また半襟を縫い付けるなど、着付けの面で手間がかかっていたのを本発明のシャツを用いることで、手軽に手入れや洗濯、着付けができるようになった。
【００１３】
また、洋服の際に用いる肌着では首の形状が合わないため、首のデザインの合う衿にした。本発明のシャツの上に着物や和服・和装などを着ることによって、肌着の襟の部分が見える、前・後の姿ともに見た目に美しくなる。
【００１４】
その上、着物や和服・和装を着付ける際に、本発明の肌着を用いることにより、何度も帯を結ぶ手間が省け、着付けが容易になり、着物や和服・和装の普及に寄与できるものと思われる。
【００１５】
請求項２により得られる発明品のシャツにおいては、衿を取り替えることができるため、上に着る着物や和服・和装の柄や色、デザインにあわせて交換ができ、またその部分のみを別に手入れすることもできる。
【００１６】
請求項３により得られる発明品のシャツにおいては、衿に芯を入れることにより、より硬度で型の崩れにくい衿を提供することができる。
【００１７】
請求項４によりえられる発明品のシャツにおいては、通常、着物や和服・和装などにはポケットなどが伴わないが、肌着にポケットを施して、着物や和服・和装のうちポケットとして利用し、貴重品などをしまうことができるようになる。
【００１８】
また、このすべての請求項にかかわる発明により得られるシャツでは、職人や板前、作務衣などの用いる服装の肌着として用いたり、単品での使用、洋装の上着の下に着用することも可能である。
【図面の簡単な説明】
【図１】本発明のシャツのうち半袖のもので、且つ前を開けボタンでとめるものの正面図である。（実施例１）
【図２】本発明のシャツの上に着物を着用した場合を示しており太線が着物をあらわす正面図である。（実施例１）
【図３】本発明のシャツの上に女性用の着物を着た場合を示した図である。（実施例１）
【図４】図４は本発明により得られる請求項２のものの衿の取り付け部分を表したものである。（実施例２）
【図５】図５は本発明の請求項１に記載した肌着の外側もしくは内側に袋をこしらえて、ポケットを施したシャツの正面図を示している。（実施例３）
【符号の説明】
１    シャツ
２    シャツの衿
３    シャツの衿の外観から覗く部分
４    着物
５    帯
６    取り付ける衿
７    取り付ける器具
８    ポケット
【図１】
2004218132.tif 000003
【図２】
2004218132.tif 000004
【図３】
2004218132.tif 000005
【図４】
2004218132.tif 000006
【図５】
2004218132.tif 000007
(57)【要約】【課題】自転車の使用時、又は、傘がさせない時に雨具として機能し、かつ、安全な雨具が必要とされる。そのためには、従来のようなフードが脱げたり、ずれたりしない、雨具が必要である。また、スカートを着用した女性用にやさしい雨具、ファッション性に富んだ雨具が望まれる。【解決手段】本発明のレインスーツは、フード付上衣部、スカート部から成る女性用雨具で、上衣部のフードの前部の頂部及び両側面が透明素材で作られており、フード下部に複数の係止具及び、襟元にフード下部の係止具に対応する係止具が左右１個づつ備えられた上衣部と、スカートの上部に紐通路が設けられ、ループ状の弾性の紐が２本全周に渡って通され、１本は右側から、他の１本は左側から紐の端が外へ出ていて、各々紐にはスカートの外部においてストッパーが設けられ、スカート下端にはフレア―部が備えられているスカート部から成るレインスーツ。【選択図】    図１
2004218154.tif 000002
【特許請求の範囲】
【請求項１】
フード付上衣部、スカート部から成る女性用雨具レインスーツであって、上衣部のフードの前部の頂部及び両側面が透明素材で作られており、フード下部に複数の係止具及び、襟元にフード下部の係止具に対応する係止具が左右１個づつ備えられた上衣部と、スカートの上部に紐通路が設けられ、ループ状の弾性の紐が２本全周に渡って通され、１本は右側から、他の１本は左側から紐の端が外へ出ていて、各々紐にはスカートの外部においてストッパーが設けられ、スカート下端にはフレア―部が備えられているスカート部から成るレインスーツ。
【発明の詳細な説明】
【０００１】
【発明の属する技術分野】
本発明は、雨具に属する。
【０００２】
【従来の技術】
一般的な雨具のフードは、大きめで調整がしにくく、ずれると雨を受けてしまい、また、顔面に被さると視野を妨げ危険である。前部を紐で縛って脱げないようにしているが、顔面が濡れてしまう。前側に透明な材質を使っているのもあるが、顔面上の下部において係止具で留めるため女性には使いづらい。ボトムがズボンの２部構成の雨具は、行動的であるがスカートの女性には使いにくい。コート式の雨具は、自転車に乗ると合わせ部分が開いて、傘をさしても風雨の時は下半身に雨を受けてしまう。
【０００３】
【発明が解決しようとする課題】
自転車の使用時、又は、傘がさせない時に雨具として機能し、かつ、安全な雨具が必要とされる。そのためには、従来のようなフードが脱げたり、ずれたりしない、雨具が必要である。また、スカートを着用した女性用にやさしい雨具、ファッション性に富んだ雨具が望まれる。
【０００４】
【課題を解決するための手段】
本発明は上記課題を解決するためになされたものであり、本発明のレインスーツは、フード付上衣部、スカート部から成る女性用雨具であって、上衣部のフードの前部の頂部及び両側面が透明素材で作られており、フード下部に複数の係止具及び、襟元にフード下部の係止具に対応する係止具が左右１個づつ備えられた上衣部と、スカートの上部に紐通路が設けられ、ループ状の弾性の紐が２本全周に渡って通され、１本は右側から、他の１本は左側から紐の端が外へ出ていて、各々紐にはスカートの外部においてストッパーが設けられ、スカート下端にはフレア―部が備えられているスカート部から成るレインスーツ。
【０００５】
【発明の実施の形態】
以下、本発明の実施の形態の一例を図面を解して説明する。
図１・図２は、本発明のレインスーツの、フード付上衣部を示す説明図である。１に示すフード前部の透明素材として、厚さ０．０６８ｍｍの耐寒性のあるポリエチレンフイルムを用い前部の頂部では長さ１２ｃｍとし・側面は耳下で８ｃｍの幅を使用している。フード下部の２ａ・２ｂの係止具は、スナップボタンを５ｃｍ間隔で３個設け、フードのサイズを調整し、衿元に備えられた左右のフード下部の各々１個のスナップボタンに対応したスナップボタンと合わせ留める。または、顎下で左右を合わせ留める。
図４及び図５はレインスーツのスカートの、平面図及び着用図であり、３、３の２本の弾性紐は、太さは６本丸ゴムを使用し左右から引っ張り、５、５のストッパーで止める。４，４の結び目はストッパーから抜けないようにゴム紐の端は結んで置く。その後は、そのまま脱着し、調整も可能である。
６に示すフレアー部は、スカートの下端部に張を持たせ、足元をよりカバーさせることを目的としている。
【０００６】
【発明の効果】
本発明のレインスーツのフード下部に２の係止具として、スナップボタンを３個の設けることにより、フードの大きさが調整出来るため、頭からずれることがない。また、１の透明素材を幅広く使用していることで、顔が充分覆われるため、傘や帽子がなくても顔を雨から防ぎ、透明素材であるため視野も確保出来て安全である。
本発明のスカート部は、上部にゴムを使用した簡単に調整出来、簡単に脱着出来る。２本使用していることで、１本が抜けたり、切れたりしてももう１本でカバー出来るので安心であり、安全である。
ズボンよりも行動範囲を狭めるが、スカートを着用した女性には使用しやすく、足元もカバーできる。スカートは、雨の日の歩行時にも裾よけとして利用出来、衣類を保護し、足元もかなりカバーできる。
上着はズボンと組み合わせて男性にも使用できる。
【図面の簡単な説明】
【図１】本発明のフード付上衣部を示す説明図である。
【図２】図１の側面図である。
【図３】図１の切分の拡大説明図である。
【図４】本発明のスカートを示す説明図である。
【図５】スカートの着用時を示した図である。
【図６】本発明のスカートの上部に用いる紐を示す説明図である。
【符号の説明】
１  透明素材
２  係止具
３  紐
４  ストッパー
５  結び目
６  フレア−
【図１】
2004218154.tif 000003
【図２】
2004218154.tif 000004
【図３】
2004218154.tif 000005
【図４】
2004218154.tif 000006
【図５】
2004218154.tif 000007
【図６】
2004218154.tif 000008